【事件の表示】
　特願２００１−　５６７９２号「防水分岐コネクタ」拒絶査定不服審判事件〔平成１４年　９月１３日出願公開、特開２００２−２６０７４８号〕について、次のとおり審決する。
【結　論】
　本件審判の請求は、成り立たない。
【理　由】
１．手続の経緯・本願発明
　本願は、平成１３年３月１日の出願であって、平成１５年８月７日付けで拒絶査定がなされ、これに対し、平成１５年１０月２日に拒絶査定に対する審判請求がなされたものである。　
　そして、その請求項１に係る発明は、平成１５年４月１４日付け手続補正書により補正された明細書及び図面の記載からみて、その特許請求の範囲の請求項１に記載された事項により特定される次のとおりのものと認められ
る。
　「接続される各被覆電線の端末をコネクタに対し同一方向から差し込むように前面に向かって、開口した複数の電線挿入孔（１）…を備え且つ上面に開口部（２）を有する絶縁性コネクタ本体（Ａ）と、前記開口部（２）を閉じる絶縁性ロックカバー（Ｂ）とからなり、前記コネクタ本体（Ａ）には前記挿入孔（１）…に挿入された被覆電線（４）…に向かって押し込まれる金属板製のコンタクト（５）が配置され、該コンタクト（５）には被覆電線に向かって押し込まれたときに夫々の被覆電線（４）の被覆（４ａ）を切断して芯線（４ｂ）と電通する複数の切込み刃（５ｂ）が設けられており、前記コンタクト（５）の上面が前記開口部（２）を介してロックカバー（Ｂ）の天板に当接されており、該ロックカバー（Ｂ）をロック位置に押し下げることにより前記コンタクト（５）も同時に押し込まれるように形成されており、且つロックカバー（Ｂ）をロック位置に押し下げたときに閉鎖姿勢を保持するロック手段として、ロックカバー（Ｂ）の側面とコネクタ本体（Ａ）の側面に互いにかみ合う係合凹部（６）並びに係合爪（７）が設けられており、更に前記電線挿入孔（１）…の口部周面には防水キャップ（８）が、前記開口部（２）周縁には防水用Ｏリング（９）が夫々設けられている防水分岐コネクタ。」
　
２．引用例
（１）原査定の拒絶の理由に引用された、特開平６−５３１５号公報（以下、「引用例１」という。）には、図面と共に次の事項が記載されている。
ａ．「【請求項１】　ケース本体（１１）と、該ケース本体（１１）と嵌合し開口面を閉塞する蓋体（１４）とからなる絶縁ケース（１０）と、少なくとも２枚の櫛形コンタクト（３０），（３０）とからなり、前記ケース本体（１１）には、上面から底面側に向かって形成されている前記２枚のコンタクト（３０）を所定の間隔をあけて挿入可能なコンタクト挿入穴（１７）と、該コンタクト挿入穴（１７）と平行な何れかの側壁（１２）に穿孔された複数の電線挿入穴（１６）とが形成されていて、これら複数の電線挿入穴（１６）と前記コンタクト挿入穴（１７）とが連通している構造とされ、前記２枚のコンタクト（３０）は、導電性素材で平板状に形成され、幅方向の下側部分には被覆電線（Ｄ）の単線型芯線（Ｓ）の直径よりも小間隔に形成した対向壁をもつ下向き開口の切欠（３１）が、前記電線挿入穴（１６）と略々同間隔で同数形成されている単線型電線の接続コネクター。」（【特許請求の範囲】）
ｂ．「【産業上の利用分野】　本発明は、一般の家屋やビル・工場等の各種建物内部において、例えば分電盤から端末コンセント等へ至る天井裏や壁内配線のために使用されている導線部分が単線型の電線を、接続したり分岐したりするために使用する単線型の電線接続コネクターに関するものである。」（段落【０００１】）
ｃ．「また、絶縁ケース（１０）は、ケース本体（１１）と蓋体（１４）とが折り畳み自在とした薄肉の繋ぎ部（１３）とか細くて短い紐状の繋ぎ部とかで連結された一体物であってもよく、それぞれ別々に形成したものであってもよい。要するに、蓋体（１４）は、ケース本体（１１）に形成された凹部（１７）を覆って、ケース本体（１１）と固着でき、コンタクト（３０）の絶縁ができるようになっているものであればよい。」　　（段落【００１３】）
ｄ．「また、前記コンタクト（３０）に形成してある切欠（３１）は、該コンタクト（３０）を電線（Ｄ）に対して押圧することによって、電線（Ｄ）の絶縁被覆（Ｚ）を破りつつ単線状芯線（Ｓ）に達してその両側へ食い込み電気的に接続するものである。」（段落【００１５】）
ｅ．「【作用】　本発明のコネクターは、このような構造としたものであるから、製造に当たっては、　コンタクト（３０）は、導電性の良い金属板、例えば硬質銅板とか黄銅板を用いてプレス加工手段によって容易に作ることができ、また、絶縁ケース（１０）は、絶縁性のよい合成樹脂素材、例えばＰＶＣとかＰＥ，ナイロン等の素材を用いて射出成形手段により容易に作ることができる。
　本発明のコネクターの使用に当たっては、先端に絶縁被覆が付いたままの単線状電線（Ｄ）の端部を、ケース本体（１１）の電線挿入穴（１６）から挿入位置させたのち、コンタクト（３０）の頂面（３２）をペンチなりプライヤーなりの一般工具を用いてコンタクト挿入穴（１７）の底へ向けて押し込めばよい。この押し込み作用によって、コンタクト（３０）は切欠（３１）によって電線（Ｄ）の絶縁被覆（Ｚ）を周方向両側において条痕状に切り破りつつ、芯線（Ｓ）の両側を圧接しながらこれを軸芯方向に押圧変形させる状態で芯線（Ｓ）と接触する。・・・しかる後、ケース本体（１１）に対して蓋体（１４）を嵌合する。」（段落【００１６】、【００１７】）
ｆ．「繋ぎ部（１３）を設けた側壁（１２）に対向した他の側壁（１５）の上端には、蓋体の鈎状突起（１８）をクリック係止するための突出部（１９ａ）を有した掛止め部（１９）が形成してある。」（段落【００１９】）
ｇ．「電線接続の際には、櫛形コンタクト（３０）の頂面（３２）とケース本体底部下面とをプライヤー等で挟圧する。これにより電線被覆を破りつつ底に達する該コンタクトは、蓋体をケース本体へかぶせた状態においては、その頂面（３２）が蓋体（１４）の内面（１４ａ）へ接当し、その下端（３０ａ）が電線挿入穴（１６）の底面より下方のコンタクト挿入穴（１７）の底（１７ａ）へ嵌入し受止される高さである。」（段落【００２２】）
ｈ．「該実施例では、ケース本体（１１）に形成してあるコンタクト挿入穴（１７）を、２枚のコンタクト（３０），（３０）をそれぞれ個別に挿入するようにした単なる偏平なスリット状の２つの穴として示したが、該コンタクト挿入穴（１７）は、図１及び図２において、２点鎖線（２０）で示したように、例えば方形状の１つの穴とし、２枚のコンタクト（３０），（３０）をその両端で位置決めできるガイド穴部分（実線で示したスリット状コンタクト挿入穴（１７）の両端に相当する部分）（２１）をもつものとして実施してもよい。この場合には、電線（Ｄ）の挿入状態をケース本体（１１）の上方から黙視確認することができ、便利に使用することができる。要するに、コンタクト挿入穴（１７）は２枚またはそれ以上のコンタクト（３０）を電線（Ｄ）に対して所定の間隔をあけて挿入することができる構造としてあればよいものである。」（段落【００２４】）
　そして、上記ｈによれば、ケース本体（１１）にコンタクト（３０）の位置決めのガイド穴（２１）を有する方形状の穴を形成したものとしても実施できることが記載されており、方形状の穴は上面に方形状の開口部を有しているといえるものである。また、図１及び図２には、鈎状突起（１８）は蓋（１４）の端部に形成されていることが記載されている。
　これらの記載と図面の記載を総合すれば、引用例１には、
　「接続される各被覆電線（Ｄ）の端部をコネクターに対し同一方向から差し込むように前面に向かって、開口した複数の電線挿入穴（１６）を備え且つ上面に方形状の開口を有する絶縁性ケース本体（１１）と、前記方形状の開口を覆う絶縁性の蓋体（１４）とからなり、前記ケース本体（１１）には前記電線挿入穴（１６）に挿入された被覆電線（Ｄ）に向かって押し込まれる金属板製のコンタクト（３０）が配置され、該コンタクト（３０）には被覆電線（Ｄ）に向かって押し込まれたときに夫々の被覆電線（Ｄ）の絶縁被覆（Ｚ）を破って単線状芯線（Ｓ）と電気的に接触する複数の切欠（３１）が設けられており、前記コンタクト（３０）はペンチやプライヤー等の工具を用いてコンタクト挿入穴（１７）の底へ向けて押し込まれるものであり、コンタクト（３０）が押し込まれてケース本体（１１）に蓋体（１４）をかぶせた状態において、コンタクトの頂面（３２）が蓋体（１４）の内面（１４ａ）に接当され、且つ蓋体（１４）をケース本体（１１）にかぶせたときに蓋体（１４）を固着する手段として、蓋体（１４）の端部に形成された鈎状突起（１８）が、ケース本体（１１）の側壁の上端に形成された掛止め部（１９）に係止する形態のものが設けられている接続コネクター。」の発明（以下、「引用発明１」という。）が記載されていると認めることができ
る。
　
（２）原査定の拒絶の理由に引用された、特開平８−３１５９０２号公報（以下、「引用例２」という。）には、図面と共に次の事項が記載されてい
る。
ａ．「【産業上の利用分野】　本発明は、ジョイントターミナルを用いて複数本の電線を短絡させる圧接ジョイントコネクタに関するものである。」（段落【０００１】）
ｂ．「本実施例の圧接ジョイントコネクタは、ケース１０、ジョイントターミナル２０、カバー３０及びシール手段から構成される。」（段落【００２２】）
ｃ．「台座部１２の左右両端には、壁状に立ち上がり、外側への弾性撓み可能なロック部１６，１６が形成されている。このロック部１６には、後述するカバー３０の係止突起３４と係合可能な係止孔１７が形成されており、係止孔１７と係止突起３４との係合によりケース１０とカバー３０が組み付け状態にロックされるようになっている。」（段落【００２５】）
ｄ．「電線Ｗの圧接を行う際には、まず、電線Ｗを前後方向（長手方向に対して直交する方向）に向けて各圧接溝１３に浅く嵌め込む。そして、ケース１０の上にカバー３０を軽く被せてカバー３０の左右両外側面をケース１０のロック部１６に対応させると共に、ロック部１６の両側にガイド部３５，３５を嵌合させ、この状態からカバー３０を強く押し下げてケース１０に組み付ける。これに伴い、カバー３０の圧接突起３６によって圧接溝１３内に電線Ｗが深く押し込まれ、その被覆を圧接刃２１が切開して芯線と接触し、もって、各圧接溝１３内に嵌入されたすべての電線Ｗ同士がジョイントターミナル２０を介して互いに電気的に導通可能な状態となる。
　カバー３０の左右両側壁の下端３３が台座部１２の上面に当接すると、カバー３０はそれ以上押し下げることができなくなり、同時に係止突起３４と係止孔１７とが係合する。これにより、ケース１０カバー３０との組付けが完了し、このカバー３０とケース１０が離脱不能にロックされる。」（段落【００３６】、【００３７】）
　そして、カバー３０の係止突起３４と係合可能なケース１０の係止孔１７は組み付け状態にロックするものであるから、ロック手段といえるものである。
　これらの記載と図面の記載を総合すれば、引用例２には、
　「電線Ｗを圧接溝１３に浅く嵌め込み、ケース１０の上にカバー３０を軽く被せて、この状態からカバー３０を強く押し下げてケース１０に組み付ける圧接ジョイントコネクタであって、カバー３０の押し下げに伴い、圧接溝１３内に電線Ｗが深く押し込まれ、その被覆を圧接刃２１が切開して芯線と接触し、もって、各圧接溝１３内に嵌入されたすべての電線Ｗ同士がジョイントターミナル２０を介して互いに電気的に導通可能な状態となるものであり、且つカバー３０をロック位置に押し下げたときに組み付け状態にロックするロック手段として、ケース１０の端面とカバー３０の端面に互いに係合する係止孔１７と係止突起３４とを設けた圧接ジョイントコネクタ。」の発明（以下、「引用発明２」という。）が記載されている。
　
（３）原査定の拒絶の理由に引用された、実願平２−１２４７７２号（実開平４−８１３５６号）のマイクロフィルム（以下、「引用例３」という。）には、図面と共に次の事項が記載されている。
ａ．「１．相互に接続するビニール被覆された第一の芯線および第二の芯線を接近させて平行に配列する通線孔が形成されたプラスチック製の基台と、このプラスチック基台に被せられるプラスチック製の蓋とを備え、
　前記基台には、前記蓋の外周形状にほぼ一致する内周形状を有する縁が形成され、
　前記蓋には、その内側に突出する金属歯が埋め込まれ、
　前記金属歯は、前記蓋が前記基台の縁に圧入されたときに前記金属歯が前記通線孔に配列された二つの芯線のビニール被覆をそれぞれ突き破りその二つの芯線の各銅線に相互に接触する構造である
　電線接続具において、
　前記第一の芯線および前記第二の芯線はそれぞれ対線であり、
　前記基台は、前記第一の芯線の第一銅線および前記第二の芯線の第一銅線を互いに接近させて平行に配列する通線孔と、前記第一の芯線の第二銅線および前記第二の芯線の第二銅線を互いに接近させて平行に配列する通線孔とが一つの基台に形成され、
　前記金属歯は、前記第一の芯線の第一銅線および前記第二の芯線の第一銅線に相互に接触する第一の金属歯と、前記第一の芯線の第二銅線および前記第二の芯線の第二銅線に相互に接触する第二の金属歯とが、互いに電気的に絶縁されて一つの蓋に個別に設けられた
　ことを特徴とする電線接続具。」（実用新案登録請求の範囲）
ｂ．「［産業上の利用分野］
　本考案は、ビニール被覆されたケーブル芯線の接続に利用する。
　本考案は、２芯（１対）のケーブル線を櫛歯状の金属歯を用いて同時に接続できる電線接続具に関する。」（明細書３頁７〜１２行）
ｃ．「［作用］
　基台に形成された通線孔に、第一の芯線の第一銅線と第二の芯線の第一銅線、および第一の芯線の第二銅線と第二の芯線の第二銅線を互いに接近させて平行に配列し、一つの蓋に個別に設けられた櫛歯状の二組の金属歯をその二組の配列銅線に圧接して喰い込ませる。
　これにより、基台に蓋を圧入するだけの作業で被覆を突き破り対線の各銅線を相互に電気的に接続することができ、作業効率を向上させることができる。」（同７頁９〜１９行）
ｄ．「このように構成された本考案接続具による接続は、基台３内の通線孔３ａ−１および３ａ−２に第一の芯線１の第一銅線１ａおよび第二銅線１ｂをビニール被覆の状態のままで挿通し、次いで、通線孔３ｂ−１および３ｂ−２に第二の芯線２の第一銅線２ａおよび第二銅線２ｂを同様にビニール被覆の状態のままで挿通する。
　この状態で蓋４を基台３の縁３ｃに沿って第１図に示す矢印方向に圧入すると、コ字状の金属歯５ａおよび５ｂが割り溝３ｄに沿って互いに接近している第一の芯線１の第一銅線２ａと第二の芯線２の第一銅線２ａおよび第一の芯線１の第二銅線１ｂと第二の芯線２の第二銅線２ｂを圧接し、櫛歯が第３図に示すようにビニール被覆を突き破り、それぞれの銅線が電気的に接続される。」（同９頁１７行〜１０頁１１行）
　そして、「基台に蓋を圧入する」作業は、基台に蓋を押し下げる作業といえる。
　これらの記載と図面の記載を総合すれば、引用例３には、
　「基台に形成された通線孔に、銅線を互いに近接させて平行に配列し、蓋に埋め込まれた櫛歯状の金属歯を配列銅線に圧接し、金属歯が被覆を突き破るものであり、基台に蓋を押し下げる作業で銅線を相互に電気的に接続する電線接続具。」の発明（以下、「引用発明３」という。）が記載されてい
る。
　
（４）原査定の拒絶の理由に引用された、特開２０００−３０７９７号公報（以下、「引用例４」という。）には、図面と共に次の事項が記載されている。
ａ．「【請求項１】　電線端末の端子がそれぞれ収容される複数の端子収容室が形成されたインナハウジングと、このインナハウジングが組み付けられると共に、各端子収容室に対向する底壁部に電線挿通孔が形成されたアウタハウジングと、前記インナハウジングと底壁部との間に配置されて前記端子収容室をシールする防水ゴム栓とを備えた防水コネクタであって、
　前記インナハウジングが内側に嵌め込まれると共に、このインナハウジングと共に前記アウタハウジング内に嵌め込まれる胴体部と、前記防水ゴム栓が挿入されて防水ゴム栓を密着状態で支持するゴム栓押え部とを有するスペーサを設ける一方、少なくとも前記電線挿通孔を分断するように前記底壁部が分割されていることを特徴とする防水コネクタ。」　　（【特許請求の範囲】）
ｂ．「スペーサ５は略四角筒状の胴体部４０と、この胴体部４０におけるアウタハウジング４側に一体形成したゴム栓押え部４１とで形成してある。胴体部４０の内面には、インナハウジング１２が嵌め込まれる。この胴体部４０の外面には、インナハウジング１２の押えリブ３８と対となる押えリブ４２を形成してあり、これらの押えリブ３８，４２によって環状の防水パッキン２４を挟持して固定する。」（段落【００３２】）
ｃ．「防水ゴム栓６は複数の個別ゴム栓部４４と、複数の個別ゴム栓部４４を一体に連結する板状の保持部５６とを有している。個別ゴム栓部４４はスペーサ５のゴム栓挿入孔４３にそれぞれ密着状態で挿入される。このため、個別ゴム栓部４４はゴム栓挿入孔４３と対向した位置にゴム栓挿入孔４３と同数が形成される。又、それぞれの個別ゴム栓部４４には、電線２０が挿通する電線挿通孔５７が貫通している。この電線挿通孔５７はアウタハウジング４の電線挿通孔４８との連通位置に形成される。」（段落【００４０】）
　これらの記載と図面の記載を総合すれば、引用例４には、
　「アウタハウジング４の電線挿通孔４８との連通位置に複数の個別ゴム栓部４４と複数の個別ゴム栓部４４を一体に連結する板状の保持部５６とを有している防水ゴム栓６が、アウタハウジング４とインナハウジング１２の間に環状の防水パッキン２４がそれぞれ設けられている防水コネクタ。」の発明（以下、「引用発明４」という。）が記載されている。
　
３．対比
　本願発明と引用発明１を対比すると、その機能・構造からみて、引用発明１の「被覆電線（Ｄ）の端部」は本願発明の「被覆電線の端末」に相当し、以下同様に、「電線挿入穴（１６）」は「電線挿入孔」に、「方形状の開口」は「開口部」に、「ケース本体（１１）」は「コネクタ本体」に、「蓋体（１４）」は「ロックカバー」に、「被覆電線（Ｄ）」は「被覆電線」に、「絶縁被覆（Ｚ）」は「被覆」に、「単線状芯線（Ｓ）」は「芯線」に、「切欠（３１）」は「切込み刃」に、「蓋体（１４）をケース本体（１１）にかぶせたときに蓋体（１４）を固着する手段」は「閉鎖姿勢を保持するロック手段」に、それぞれ相当する。また、引用発明１の「開口を覆う」は本願発明の「開口を閉じる」と同義であり、同様に「絶縁被覆を破って」は「被覆を切断して」と、「電気的に接触する」は「電通する」と同義である。さらに、引用発明１における、「コンタクト（３０）が押し込まれてケース本体（１１）に蓋体（１４）をかぶせた状態」は、本願発明における、「ロックカバーをロック位置に押し下げた」閉鎖姿勢に相当する。そして、被覆電線を別の被覆電線に接続する部材である限りで、引用発明１の「コネクター」、「接続コネクター」は本願発明の「コネクタ」、「分岐コネクタ」にそれぞれ相当するから、両者は、
　「接続される各被覆電線の端末をコネクタに対し同一方向から差し込むように前面に向かって、開口した複数の電線挿入孔を備え且つ上面に開口部を有する絶縁性コネクタ本体と、前記開口部を閉じる絶縁性ロックカバーとからなり、前記コネクタ本体には前記挿入孔に挿入された被覆電線に向かって押し込まれる金属板製のコンタクトが配置され、該コンタクトには被覆電線に向かって押し込まれたときに夫々の被覆電線の被覆を切断して芯線と電通する複数の切込み刃が設けられており、且つロックカバーをロック位置に押し下げた閉鎖姿勢を保持するロック手段が設けられている分岐コネクタ。」の点で一致し、以下の点で相違するものと認められる。　
（相違点１）　
　被覆電線を接続するため操作であるコンタクト（５）の押し込みを、本願発明ではロックカバーで行うものであり、コンタクト（５）の上面が開口部（２）を介してロックカバー（Ｂ）の天板に当接されており、該ロックカバー（Ｂ）をロック位置に押し下げることによりコンタクト（５）も同時に押し込まれるように形成されているのに対し、引用発明１ではペンチやプライヤー等の工具で行うものであり、蓋体（１４）で行うものではない点。
　
（相違点２）　
　ロック手段が、本願発明ではロックカバーの側面とコネクタ本体の側面に互いにかみ合う係合凹部並びに係合爪として設けられているのに対し、引用発明１では蓋体（１４）の端部に形成された鈎状突起（１８）とケース本体（１１）の側壁の上端に形成された掛止め部（１９）として設けられている点。
　
（相違点３）
　本願発明においては電線挿入孔（１）の口部周面には防水キャップ（８）が、開口部（２）周縁には防水用Ｏリング（９）が夫々設けられているのに対し、引用発明１においては防水キャップ及び防水用Ｏリングが設けられていない点。
　
４．判断
（相違点１）について
　引用発明１においては、コンタクト（３０）は、ペンチやプライヤー等の工具を用いてコンタクト挿入穴（１７）の底に向けて押し込まれるものであるが、蓋（１４）をケース本体（１１）にかぶせた状態で、コンタクトの頂面（３２）が蓋体（１４）の内面（１４ａ）に接当し、その下端（３０ａ）が電線挿入穴（１６）の底面より下方のコンタクト挿入穴（１７）の底（１７ａ）へ嵌入し受止される高さとなっているから（記載ｇ．参照。）、工具によるコンタクト（３０）の押し込みの程度によっては、蓋体（１４）をケース本体（１１）にかぶせる際、蓋体（１４）の内面（１４ａ）がコンタクトの頂面（３２）に接当して多少なりともこれを押し込み、コンタクトの下端（３０ａ）を電線挿入穴（１６）の底面より下方のコンタクト挿入穴（１７）の底（１７ａ）に嵌入させることになるのは、当業者が十分に予測し得ることである。
　ところで、本願発明と引用発明２を対比すると、その機能・構造からみて、引用発明２の「ケース１０」は本願発明の「コネクタ本体」に相当し、同様に「カバー３０」は「ロックカバー」に、「ジョイントターミナル２０」は「コンタクト」に、「圧接刃２１」は「切込み刃」に、「電線Ｗ」は「被覆電線」にそれぞれ相当し、引用発明２の「電気的に導通可能な状態となる」ことは接続されることであるから、本願発明と引用発明２はロックカバーがコンタクトを押し下げるか被覆電線を押し下げるかの違いはあるが、ロックカバーの押し下げによりコンタクトの切込み刃が被覆電線の被覆を切断して被覆電線を接続する点は同じであり、引用発明２には「コネクタ本体にロックカバーを被せた状態からロックカバーをロック位置に押し下げることにより被覆電線を接続すること」が開示されているといえる。
　また、本願発明と引用発明３を対比すると、その機能・構造からみて、引用発明３の「基台」は本願発明の「コネクタ本体」に相当し、同様に「銅線」は「被覆電線」に、「蓋」は「ロックカバー」に、「金属歯」は「コンタクト」に、「電線接続具」は「コネクタ」に、それぞれ相当し、引用発明３の「被覆を突き破る」は本願発明の「被覆を切断する」と同義であるから、本願発明と引用発明３は、ロックカバーとコンタクトが当接しているか、埋め込まれているかの違いはあるが、引用発明３には「ロックカバーの押し下げにより、コンタクトが同時に押し込まれ、コンタクトにより被覆電線の被覆を切断して被覆電線を接続する」ことが開示されているといえる。
　そうすると、引用発明１に引用発明２や引用発明３を適用し、コンタクトの上面が開口部を介してロックカバーの天板に当接されており、ロックカバーをロック位置に押し下げることによりコンタクトも同時に押し込まれるように形成することは、当業者が容易に想到し得たことである。
　
（相違点２）について
　ロック手段の配置及び係合構造は、ロックカバーとコネクタ本体の構造に基づいて適宜設計し得る事項にすぎず、本願発明のようにロック手段をロックカバーの側面とコネクタ本体の側面に互いにかみ合う係合凹部と係合爪として設けること（引用発明２のロック手段参照。）は、設計事項として当業者が容易に想到し得たことである。
　
（相違点３）について
　本願発明と引用発明４を対比すると、その機能・構造からみて、引用発明４の「アウタハウジング４」は本願発明の「コネクタ本体」に相当し、以下同様に「電線挿通孔４８との連通位置」は「電線挿入孔の口部周面」に、「防水ゴム栓６」は「防水キャップ」に、「アウタハウジング４とインナハウジング１２の間」は「開口部の周縁」に、「環状の防水パッキン２４」は「防水用Ｏリング」にそれぞれ相当するから、引用発明４は「電線挿入孔の口部周面には防水キャップを、開口部周縁には防水用Ｏリングを夫々設ける」ことを開示しており、引用発明１において電線挿入孔の口部周面には防水キャップを、開口部周縁には防水用Ｏリングを夫々設けることは、引用発明４に基づいて当業者が容易に想到し得たことである。
　
　そして、本願発明の作用効果は引用発明１ないし引用発明４から予測される範囲のものにすぎない。　
　
５．むすび
　したがって、本願発明は、引用発明１ないし引用発明４に基づいて当業者が容易に発明をすることができたものであるから、特許法第２９条第２項の規定により、特許を受けることができない。
　よって、結論のとおり審決する。